(57)【要約】【課題】  感圧粘着層がはみ出るのを防止することができ、肌に筋ラインが生じるのを防止することができる着脱自在のバックレス、ストラップレスブラを提供する。【解決手段】  この目的を達成するために、本考案は、１対のブラカップと、該１対のブラカップを結合するようになされたコネクタを有する、着脱自在バックレス、ストラップレスブラであって、各ブラカップは、外側層と、内側層と円形凸条を有し、円形凸条は、各ブラカップの前記内側層の内側表面のリムに隣接してユーザーのバストに面するように配設されており、該１対のブラカップをユーザーのバストに取り付けることができるように前記円形凸条の内側で各ブラカップの実質的に全面に感圧粘着層が恒久的に生長接合されていることを特徴とする着脱自在バックレス、ストラップレスブラを提供する。【選択図】図１
0003118232.tif 000002
【実用新案登録請求の範囲】
【請求項１】
各々外側層と内側層から成る１対のブラカップと、
該各ブラカップの前記内側層の内側表面のリムに隣接してユーザーのバストに面するように配設された円形凸条と、
該各ブラカップをユーザーのバストに取り付けることができるように前記円形凸条の内側で各ブラカップの実質的に全面に恒久的に生長接合された感圧粘着層と、
該１対のブラカップを結合するようになされたコネクタと、
から成ることを特徴とする着脱自在バックレス、ストラップレスブラ。
【請求項２】
前記外側層及び内側層は、熱可塑性フィルム材であり、該外側層と内側層のイア谷所定容量のシリコーンゲルが包被されていることを特徴とする請求項１に記載の着脱自在バックレス、ストラップレスブラ。
【請求項３】
前記コネクタは、前記各ブラカップにホットプレス、高周波ホットプレス又は超音波ホットプレスによって取り付けられていることを特徴とする請求項１に記載の着脱自在バックレス、ストラップレスブラ。
【請求項４】
各ブラカップの前記外側層及び内側層は、いずれも、織物層であり、該各ブラカップは、更に、
前記外側織物層の内側に配設されたフォーム層と、
該フォーム層の内側に配設された熱可塑性フィルム層を含み、
前記内側織物層は、前記熱可塑性フィルム層の内側に配設されており、前記外側織物層と、前記フォーム層と、前記熱可塑性フィルム層と、前記内側織物層は、熱間積層によって接合され、次いで、各ブラカップのリムが連続したカーブとして形成されていることを特徴とする請求項１に記載の着脱自在バックレス、ストラップレスブラ。
【請求項５】
各ブラカップの前記リムは、超音波ホットプレスと切断加工によって形成されていることを特徴とする請求項４に記載の着脱自在バックレス、ストラップレスブラ。
【請求項６】
各ブラカップの前記リムは、高周波ホットプレスと切断加工によって形成されていることを特徴とする請求項４に記載の着脱自在バックレス、ストラップレスブラ。
【請求項７】
前記感圧粘着層は、前記内側織物層内へ浸透し、前記熱可塑性フィルム層に接合されていることを特徴とする請求項４に記載の着脱自在バックレス、ストラップレスブラ。
【請求項８】
前記熱可塑性フィルム層と前記内側織物層との間に追加のフォーム層が形成されていることを特徴とする請求項４に記載の着脱自在バックレス、ストラップレスブラ。
【請求項９】
前記連続したカーブの半径方向の幅は、０．５〜３．０ｍｍの範囲であることを特徴とする請求項４に記載の着脱自在バックレス、ストラップレスブラ。
【考案の詳細な説明】
【技術分野】
【０００１】
本考案は、着脱自在のバックレス（背無し）、ストラップレス（ストラップ無し）ブラ（ブラジャー）に関し、特に、ブラカップをユーザーの肌（皮膚）に結合するための感圧粘着層を備えた内側表面を有する着脱自在バックレス、ストラップレスブラに関する。
【背景技術】
【０００２】
ブラのスチールリングやシーム（縫い目、合わせ目又は継ぎ目）は、ブラを着用する女性に圧迫感を与える。更に、大抵の女性は、ブラを着用したとき肌を締めつけるブラの背部により不快感を覚える。ぴったりした衣服又はボディースーツの着用を選択して着た場合、ブラのスチールリングによって画定される筋ライン（tie lines、ひも状部材による締めつけライン又は食い込みライン）がブラの外観を造る。又、スチールリングの筋ラインは、ユーザーの肌にアレルギー又は接触皮膚炎を起こすことがある。
【０００３】
今日、バックレス、ストラップレスブラは、ヨーロッパや米国でファッション美を求める観点から非常にポピュラーである。バックレス、ストラップレスブラは、ユーザーの背中、肩、及びバストの曲線を見せるためのベストやローカット（襟ぐりの深い）ドレスなどのセクシーなドレスに良く適合する。図１０及び１１は、特開２００４−３１０２公報或いは実用新案登録第３０９５３４９号公報に開示されているのに相当する在来のバックレス、ストラップレスブラの外観を示す透視図である。図１０に示されるように、粘着層又は接着層Ｂが、ブラカップＡの内側表面に設けられている。バックレス、ストラップレスブラをユーザーのバストに取り付けることができるようにコネクタＤがブラカップＡに縫いつけられている。バックレス、ストラップレスブラは、ストラップレスではあるが、女性のバストを良く見せる、あるいは、あらわに見せる上では従来のブラと同等に優れている。その結果として、背部分及びストラプ部分のないバックレス、ストラップレスブラは、ユーザーの背中、肩、及びバストを良く見せるためのセクシーなドレスに非常によくマッチする。
【０００４】
ブラカップＡの内側表面の粘着層Ｂがはみ出る又は拡散するのを防止するために上述したバックレス、ストラップレスブラのブラカップＡの周縁の周りに円形凸条Ｃが設けられている。この円形凸条Ｃは、ブラカップＡの周縁の周りに織物の積層を縫いつけることによって形成される。この円形凸条Ｃを形成する前に、ブラカップＡの周縁にスチールリングを装着しておくことができる。
【０００５】
粘着層Ｂのはみ出しの問題は、いろいろな改良された構造によって解決することができるが、在来のブラカップＡは、その周縁の周りに円形凸条Ｃを有しており、円形凸条Ｃが柔軟な素材で形成されていることから、ユーザーに快適さを与えるとされている。しかしながら、円形凸条Ｃは、織物の積層体を縫いつけたものであり、その内部にスチールリングが装着されているので実際は硬い。又、コネクタＤのシームＤ１が存在する場合、円形凸条ＣとシームＤ１がユーザーの肌と摩擦を起こすばかりでなく、ぴったりした衣服又はボディースーツを着用した場合、ブラの輪郭がはっきりみえてしまうという欠点がある。
【特許文献１】特開２００４−３１０２公報
【特許文献２】実用新案登録第３０９５３４９号公報
【考案の開示】
【考案が解決しようとする課題】
【０００６】
本考案の目的は、上述した問題を解決することであり、感圧粘着層を取り囲み、粘着層がはみ出る、又は、拡散するのを防止することができ、ブラの着用中ユーザーの肌に筋ライン（tie lines）が生じるのを防止することができる着脱自在のバックレス、ストラップレスブラであって、簡単な構造で、製造が容易な着脱自在のバックレス、ストラップレスブラを提供することである。
【課題を解決するための手段】
【０００７】
上記目的を達成するために、本考案は、１対のブラカップと、該１対のブラカップを結合するようになされたコネクタを有する、着脱自在バックレス、ストラップレスブラであって、各ブラカップは、外側層と、内側層と円形凸条を有し、円形凸条は、各ブラカップの前記内側層の内側表面のリムに隣接してユーザーのバストに面するように配設されており、該１対のブラカップをユーザーのバストに取り付けることができるように前記円形凸条の内側で各ブラカップの実質的に全面に感圧粘着層が恒久的に生長接合されている（スプレーされて恒久的に層状化され接合される）ことを特徴とする着脱自在バックレス、ストラップレスブラを提供する。
【０００８】
以下に、本考案の実施形態を添付図を参照して説明する。以下に説明する実施形態は、本考案の例として示されるものであり、本考案を限定するものではないことを理解されたい。
【考案を実施するための最良の形態】
【０００９】
以下に、本考案の着脱自在バックレス、ストラップレスブラの実施形態を添付図を参照して説明する。
【００１０】
図１−３は、本考案の好ましい実施形態の着脱自在バックレス、ストラップレスブラの一例を示す。この着脱自在バックレス、ストラップレスブラ（参照符号無し）は、図１に示されるように、１対のブラカップ１と、それらのブラカップの対向する表面間にあって両者を結合するコネクタ３から成る。
【００１１】
図１−３に示されるように、各ブラカップ１は、それをユーザーの左右のバストに着脱自在に取り付けるための感圧粘着層２を有している。各ブラカップ１は、ユーザーの左右のバストにそれぞれ独立して装着される個別の部品であり、一方のブラカップは左のバストを支持し、強調する（バストのサイズや形を良くする）ために設計されており、他方のブラカップが右のバストを支持し強調するために設計されている点を除いては、同じ構造を有している。更に、各ブラカップ１は、コネクタ３の一部分に接合するように設計されており、それによって、コネクタ３を介して２つのブラカップを結合することができる。ブラカップ１には、ユーザーのバストを強調するために、又はバストの代わりとして使用するために着用することができるあらゆるタイプの着用品を付加することができる。限定するためではなく、例として挙げれば、そのような着用品を含むブラカップとしては、図２に示されるように、外側層１１と、熱可塑性フィルム材で形成された内側層１２の間に包被された所定の容積のシリコーンゲル１３から成るブラカップが提供される。
【００１２】
各ブラカップ１の内側層１２は、図３に示されるように、リム１４を有しており、ブラカップ１の内側層１２の内側表面のリム１４に隣接し、ユーザーのバストに面する側に円形凸条１５が設けられている。感圧粘着層２は、ブラカップ１をユーザーのバストに取り付けることができるように円形凸条１５の内側で各ブラカップ１の実質的に全面に恒久的に生長接合されている。
【００１３】
着脱自在バックレス、ストラップレスブラを形成するには、まず、所定の容積のシリコーンゲル１３を外側層１１と内側層１２の間に挟み、次いで、シリコーンゲル１３と、外側層１１と、内側層１２を金型によってブラカップ１の形状に一体に成形する。円形凸条１５は、金型によってブラカップ１を成形するときに同時に形成される。感圧粘着層２は、円形凸条１５の内側で各ブラカップ１の実質的に全面に被覆される。コネクタ３は、ホット（熱間、高温）プレス、高周波ホットプレス又は超音波ホットプレスによって２つのブラカップ１に取り付けられる。
【００１４】
通常、着脱自在バックレス、ストラップレスブラのユーザーは、各ブラカップ１の感圧粘着層２を左右のバストに位置づけし、次いで、コネクタ３を互いに係合させることによってそれらのブラカップ１を互いに結合する。
【００１５】
図４−７は、本考案の好ましい実施形態の着脱自在バックレス、ストラップレスブラの別の例を示す。各ブラカップ１の外側層１１は、外側織物層とすることができる。各ブラカップ１の内側層１２も、内側織物層とすることができる。外側織物層１１及び内側織物層１２は、熱可塑性合成繊維の織物とすることができる。各ブラカップ１には、更に、フォーム層１６と熱可塑性フィルム層１７を設ける。詳述すれば、フォーム層１６は、外側織物層１１の内側面に積層され、そのフォーム層１６に熱可塑性フィルム層１７上に積層される。内側織物層１２は、熱可塑性フィルム層１７上に積層される。これらのすべての層は、加熱積層法又はその他の方法によって恒久的に、かつ、分離不能に接合される。次いで、各ブラカップ１のリム１４が、連続した（途切れのない滑らかな）カーブ（curve）１４１として形成される。連続したカーブ１４１の半径方向の幅は、ブラカップ１の分離（breakaway、カップを構成する各層の層間剥離）を防止するために０．５〜３．０ｍｍの範囲とされる。円形凸条１５は、リム１４に隣接しており、各ブラカップ１を成形するのと同時に金型によって形成される。感圧粘着層２は、ブラカップ１をユーザーのバストに取り付けることができるように円形凸条１５の内側で各ブラカップ１の実質的に全面に恒久的に生長接合される。感圧粘着層２は、内側織物層１２内へその縁から縁まで浸透し、熱可塑性フィルム層１７に接合される。
【００１６】
この着脱自在バックレス、ストラップレスブラを形成する別の方法として、まず外側織物層１１、フォーム層１６、熱可塑性フィルム層１７及び内側織物層１２をその順序で積重し、それらのすべての層を金型で一体的に成形してブラカップ１を形成することができる。円形凸条１５は、ブラカップ１を成形するのと同時に金型によって形成する。又、内側織物層１２のリム１４は、高周波ホットプレス又は超音波ホットプレスによって形成し、切断する。それによって、各ブラカップ１のリム１４の連続したカーブ１４１が形成される。次に、感圧粘着層２を円形凸条１５の内側で各ブラカップ１の実質的に全面に被覆する。コネクタ３は、ホットプレス、高周波ホットプレス又は超音波ホットプレスによって２つのブラカップ１に取り付ける。
【００１７】
本考案の好ましい第１実施形態として、図８に示されるように、その着脱自在バックレス、ストラップレスブラのユーザーは、各ブラカップ１の感圧粘着層２を左右のバストに位置づけし、次いで、コネクタ３を係合させることによって２つのブラカップ１を互いに結合させる。
【００１８】
図９は、本考案の着脱自在バックレス、ストラップレスブラの変型例を示す。この例では、感圧粘着層２の粘着力を高めるために熱可塑性フィルム層１７と内側織物層１２との間に追加のフォーム層１８が形成されている。
【００１９】
以上の説明から分かるように、本考案は、以下の利点を有する。
１．本考案のブラの円形凸条は、各ブラカップのリムに隣接してリムと一体に形成される。円形凸条は、感圧粘着層がはみ出る又は拡散するのを防止することができる。その上、この円形凸条は、シームがなく、ブラカップの内側層に設けられているので、肌につく筋ラインがみえないようにすることができ、ぴったり衣服又はボディースーツを着用した場合ブラの輪郭を隠すことができる。
【００２０】
２．本考案のブラのリムは、内側層及び外側層が織物である場合、連続したカーブとして形成される。０．５〜３．０ｍｍの範囲の半径方向の幅を有する連続したカーブは、スチールリング及びシームに代わるものであり、ブラカップ１の分離を防止することができる。本考案のブラのリムの連続したカーブは、ユーザーのバストにぴったり又は最適にフィットし、着用したユーザーの美しいバスト曲線を見せることができる。本考案のブラは、使用中も、使用後も、肌に摩擦や筋ラインを起こすことがない。
【００２１】
３．本考案のブラのコネクタは、ホットプレス、高周波ホットプレス又は超音波ホットプレスによって２つのブラカップに取り付けられる。本考案のブラのコネクタは、新規なブラカップの開発とともに、シームをなくすことができ、ブラ全体に亘ってユーザーの肌に筋ラインが生じるのを防止する。
【図面の簡単な説明】
【００２２】
【図１】図１は、本考案の着脱自在バックレス、ストラップレスブラの好ましい実施形態の外観を示す透視図である。
【図２】図２は、図１のブラの拡大断面図である。
【図３】図３は、本考案の着脱自在バックレス、ストラップレスブラの内側層の部分拡大断面図である。
【図４】図４は、本考案の着脱自在バックレス、ストラップレスブラの別の実施形態の外観を示す透視図である。
【図５】図５は、図４のブラカップの外観を示す透視図である。
【図６】図６は、図４のブラの部分断面図である。
【図７】図７は、図５の円Ａで囲まれた部分の拡大断面図である。
【図８】図８は、図４の着脱自在バックレス、ストラップレスブラをユーザーのバストに取り付けた状態を示す透視図である。
【図９】図９は、図４のブラにおいて熱可塑性フィルム層と内側織物層との間に追加のフォーム（発泡体）層が形成された例を示す部分断面図である。
【図１０】図１０は、在来のバックレス、ストラップレスブラを示す透視図である。
【図１１】図１１は、図１０の在来のバックレス、ストラップレスブラをユーザーのバストに取り付けた状態を示す透視図である。
【符号の説明】
【００２３】
１  ブラカップ
２  感圧粘着層
３  コネクタ
１１  外側層、外側織物層
１２  内側層、内側織物層
１３  シリコーンゲル
１４  リム
１５  円形凸条
１６  フォーム層
１７  熱可塑性フィルム層
１８  フォーム層
１４１  カーブ
【図１】
0003118232.tif 000003
【図２】
0003118232.tif 000004
【図３】
0003118232.tif 000005
【図４】
0003118232.tif 000006
【図５】
0003118232.tif 000007
【図６】
0003118232.tif 000008
【図７】
0003118232.tif 000009
【図８】
0003118232.tif 000010
【図９】
0003118232.tif 000011
【図１０】
0003118232.tif 000012
【図１１】
0003118232.tif 000013